(57)【要約】【課題】  使用寿命を延長できる滑り出し型電子カードコネクターを提供する。【解決手段】  台体１０と匣台２０とを含む。台体１０は、相対する両側間に一つの滑り穴１４が形成され、台体１０の中に複数個の端子１２が嵌設されている。匣台２０は、滑り穴１４の中に置かれ、電子カード置き穴２１１が設けられていて、電子カードが安定してその上に置かれ、匣台２０と同時に台体１０の中に滑り込んで、電子カードと端子１２は対応して連接する。匣台２０の前端には弾性扣アーム２１２があって、匣台２０が台体１０の中に滑り込む時、弾性扣アーム２１２は固定扣穴の中に掛け込み、匣台２０が外に滑り戻ることを妨ぐ。匣台２０が引き出される時、弾性扣アーム２１２は固定扣穴と解扣可能であり、匣台２０は台体１０の中から外に向かって滑り出され、台体１０と完全に脱離可能である。【選択図】    図１
0003109906.tif 000002
【実用新案登録請求の範囲】
【請求項１】
台体と匣台とを含む滑り出し型電子カードコネクターであって、
前記台体は、台体の相対する両側間に一つの滑り穴が形成され、前記台体の中に複数個の端子が嵌設されており、
前記匣台は、前記台体の滑り穴の中に滑り置き可能であり、電子カード置き穴が設けられ、電子カードが安定してその上に跨って置かれ、匣台と同時に台体の中に滑り込んで、電子カードと台体内の端子を対応して連接され、前記匣台の前端には弾性扣アームがあり、前記匣台が台体の中に滑り込む時に、前記弾性扣アームは対応的に一つの固定扣穴の中に掛け込まれ、匣台が外に向かって滑り戻ることを防止し、使用者が外に向かって匣台を引き出す際は、前記弾性扣アームは固定扣穴と解扣可能であり、匣台を台体の中から外に向かって滑り出し可能であり、台体と完全に脱離可能に構成されて成ることを特徴とする滑り出し型電子カードコネクター。
【請求項２】
前記匣台の受接板の前端の端縁は、前板が連設していて、前板の底部には指穴が設置されていることを特徴とする請求項１記載の滑り出し型電子カードコネクター。
【請求項３】
前記固定扣穴は、取り付けた電子品の上に形成されていることを特徴とする請求項１記載の滑り出し型電子カードコネクター。
【請求項４】
前記固定扣穴は、前記台体の中に設けられていることを特徴とする請求項１記載の滑り出し型電子カードコネクター。
【請求項５】
台体及び匣台を含む滑り出し型電子カードコネクターであって、
前記台体は、底板部及び頂板部を含み、前記底板部と頂板部との間に一つの滑り穴が形成され、台体の底板部と頂板部に複数の端子が嵌設され、
前記匣台は、一つの受接板を含み、前記台体の滑り穴の中に滑り置き可能であり、前記受接板上に複数の型式の電子カード置き穴が設置され、個別に異なる型式の電子カードが安定してその上に跨って置かれ、前記匣台を前記台体の滑り穴の中に滑り込ませる時に、各電子カードは対応する端子と連接可能であり、前記匣台の受接板上には弾性扣アームが設けられ、匣台が台体の中に滑り込んだ後に、対応的に一つの固定扣穴の中に扣接して、前記匣台が台体から外に向かって滑り出すことを防止し、力を入れて匣台を引き出す時には、弾性扣アームと固定扣穴を解扣させ、前記匣台を台体の中から外に向かって完全に滑り出し、脱離可能に構成されて成ることを特徴とする滑り出し型電子カードコネクター。
【請求項６】
前記匣台の受接板の前端の端縁は、前板が連設されていて、前板の底部には指穴が設けられていることを特徴とする請求項５記載の滑り出し型電子カードコネクター。
【請求項７】
前記固定扣穴は、取り付けた電子品の上に形成されていることを特徴とする請求項５記載の滑り出し型電子カードコネクター。
【請求項８】
前記固定扣穴は、前記台体の中に設けられていることを特徴とする請求項５記載の滑り出し型電子カードコネクター。
【考案の詳細な説明】
【技術分野】
【０００１】
本考案は、一種の滑り出し型電子カードコネクターに関し、特に、一種のコネクターの中の匣台を台体の中から完全に外に向かって滑り出し、脱離することができ、使用者が電子カードの取り付けに使用し、並びに匣台が不当な外力を受けて断裂を生じる状況を発生することを避けることができるコネクターに関する。
【背景技術】
【０００２】
現在、一般に使用されている携帯電話或いは車輌に取り付けられている通信設備は、通常で使用する時、使用者は必ず一枚の電子カードを差し込んで使用し、防盗と誤別を行っている。電子カードと通信設備の連接、取り付けを更に簡単にするために、本考案の出願人が平成１５年６月１１日に登録した実用新案登録第３０９６０５６号「引出し式匣台のメモリーカード連接ソケット」では、該特許の前案に示す連接ソケットは一種の引出し式匣台のメモリーカード連接ソケットで、下記のものを含む。一つの台体は、底板部及び頂板部を含む。該底板部と該頂板部との間に一つの滑り穴が形成され、並びに該台体の中に複数の端子が嵌設されている。一つの該匣台は、一つの板体を含み、丁度よく該台体の滑り穴の中に滑り置かれる。該板体上にはメモリカード置き穴があって、メモリカードが安定してその上に跨って置かれる。別に該板体の前縁に前板が連設され、該板体が該台体の中に滑り置かれる時に、該前板を完全に該台体の滑り穴の入口に被せることができて、外部の異物或いは塵が該滑り穴の入口から該台体の中に進入することを妨げる。上記に示す匣台の後側には最小一つの定位部が設けられ、該匣台が該台体から外に向かって引き出される時に、該定位部は、対応的に該台体の滑り穴の中の一つの突き止め部に掛け止められて、該匣台が該台体の中から外に向かって脱離することを妨げる。
【０００３】
上記の構造では、使用者が電子カード或いはメモリーカードを取り付ける時は、匣台は定位部の制限を受けているため、完全に外に向かって滑り出すことができず、そして、一つの縦が長い吊り形状で台体の外側に吊り掛けられているので、使用時、常時使用者が匣台を外に向けて引き出した後に、吊り掛け状になっている匣台に対して不注意の衝突或いは不当な施圧による匣台の断裂、損壊の情況を生じ、電子カードを差し入れて使用することができなくなる。もし、該商品が交換修理することができない時、使用者は只この極めて高い値段の通信用の携帯電話を廃棄する。もし、一つの匣台の断裂の状況が車輌の嵌装した通信システム上に発生する場合は、更にその交換修理は困難であるため、これを改善する必要がある。
【考案の開示】
【考案が解決しようとする課題】
【０００４】
しかしながら、上記のように、匣台は完全に外に向かって滑り出すことができず、台体の外側に吊り掛けられているため、使用時、容易に匣台が断裂、損壊される問題がある。
【課題を解決するための手段】
【０００５】
本考案は、上記の点を解決するためになされたものであり、一種の一つの台体と、一つの匣台とを含む滑り出し型の電子カードコネクターを提供し、使用者が外に向かって匣台を引き出す時、該匣台は台体の中から外に向かって滑り出すことができ、台体と完全に脱離することができる。
【考案を実施するための最良の形態】
【０００６】
以下、図面に従って本考案による実施の形態を説明する。
図１〜図６を参照する。本考案の一実施例による滑り出し型電子カードコネクターは、下記のものを含む。一つの台体１０は、該台体１０の相対した両側間に一つの滑り穴１４が形成され、並びに該台体１０の中に複数個の端子１２が嵌設されている。一つの匣台２０は、丁度よく該台体１０の滑り穴１４の中に滑り置かれて、並びに最小一つの電子カード置き穴２１１があって、一つの電子カード３０が安定してその上に跨って置かれ、匣台２０と同時に台体１０の中に滑り込んで、電子カード３０と台体１０の中の端子１２を対応して連接させる。その特徴は、該匣台２０は弾性扣アーム２１２が設置され、該匣台２０が台体１０の中に滑り込む時、該弾性扣アーム２２は対応して一つの固定扣穴４０の中に掛け込まれて、匣台２０が外に向けて滑り戻ることを妨げる。そして、使用者が外に向かって匣台２０を引き出す時、該弾性扣アーム２１２は、固定扣穴４０と解扣でき、匣台２０を台体の中から外に向かって引き出すことができ、並びに台体１０と完全に脱離する。
【０００７】
図１及び図２を参照する。本実施例の台体１０は、一つの板体１１を含む。該板体１１上には複数個の端子１２が嵌設されていて、該台体１０の相対する両側には個別にＬ型側板１３が設けられていて、二つの相対したＬ型側板１３の間に一つの滑り穴１４が形成されている。
【０００８】
本実施例の滑り出し型電子カードコネクターは、その中の該匣台２０が受接板２１を含む。該受接板２１の上には最小一つの電子カード置き穴２１１が設置され、丁度よく一枚の電子カード３０が中に跨って置かれ、且つ該受接板２１の上に最小一つの弾性扣アーム２１２が設けられている。一枚の前板２２は一体で該受接板２１の前端の端縁に連設され、匣台２０が台体１０の中に滑り込む時に、該前板２２は台体１０の滑り穴１４の入口を塞ぐ妨げることができる。尚且つ該前板２２の底部に指穴２２１が設けられ、使用者の指先が伸入できるようにし、並びに外に向かって引き出して台体１０の中の匣台２０に滑り置く。
【０００９】
本実施例の滑り出し型電子カードコネクターは、電子カード３０を取り出す、或いは、交換する時は、図１と図２に示すように、匣台２０を完全に台体１０の中から引き出す抽出することができる。すなわち、該匣台２０はその末端で台体１０の中に掛け止められることがなく、或いは、縦の長い吊り伸出状になることがないため、使用者の不当な使用によって生じる衝突により匣台２０の断裂を生じる情況を発生することを避けることができる。
【００１０】
本実施例の滑り出し型電子カードコネクターは、その中の匣台２０が台体１０の中に滑り込む時、該弾性扣アーム２１２が対応する掛け止めの固定扣穴４０は取り付ける電子品（例えば、携帯電話、車輌の車体、デジタルカメラ等）上に形成することができる、或いは、該台体１０の中に設けることができる。本実施例は、これに対して制限しない。
【００１１】
本考案の滑り出し型電子カードコネクターは、図６に示す実施例のようにすることができる。該電子カードコネクターは、下記のものを含む。一つの台体１０ａは、一つの底板部１１ａ及び一つの頂部１１ｂを含む。該底板部１１ａと頂板部１１ｂとの間に一つの滑り穴１４ａが形成され、並びに台体１０ａの底板部１１ａと頂板部１１ｂに複数個の端子１２が嵌設されている。一つの匣台２０ａは、一つの受接板２１ａを含み、丁度よく該台体１０ａの滑り穴１４ａの中に滑り置かれる。該受接板２１ａには複数の型式の電子カード置き穴２１１ａ、電子カード置き穴２１１ｂ及び電子カード置き穴２１１ｃが設置されていて、個別に一種の合う対応型式の電子カード３０ａ、電子カード３０ｂまたは電子カード３０ｃが安定して跨って置かれる。これによって、該匣台２０ａが該台体１０ａの滑り穴１４ａの中に滑り込む時、各式の電子カード３０ａ、電子カード３０ｂ及び電子カード３０ｃは対応した端子１２と連接でき、電子信号を伝送できる。別に該受接板２１ａに一つの弾性扣アーム２１２ａがあって、匣台２０ａが台体１０ａの中に滑り込んだ後に、対応して一つの固定扣穴４０ａの中に扣接して、該匣台２０ａが台体１０ａから外に向かって滑り出し、脱離することを妨げる。そして、外に向かって力を入れて匣台２０ａを引き出す時、弾性扣アーム２１２ａと固定扣穴４０ａを解扣して、該匣台２０ａを台体１０ａの中から外に向かって完全に滑り出し、脱離することができる。
【００１２】
図６に示すように、該匣台２０ａは受接板２１ａの前縁に一つの前板２２ａが連設され、該前板２２ａは、該受接板２１ａが該台体１０ａの中に滑り置かれる時、完全に該台体１０ａの滑り穴１４ａの入口に被り、外部の異物或いは塵が該滑り穴の入口から該台体１０ａに進入することを妨げ、並びに該前板２２ａの側縁に一つの指穴２２１ａが凹設され、使用者が指を伸入して匣台２０ａを推出する時に使用される。
【００１３】
図６の実施例の該電子カードコネクターは、同時に多種の違った型式の電子カードの連接に適用することができる。該項の構造技術は、すでに本考案の出願人が前に登録した実用新案登録第３０９６０５６号「引出し式匣台のメモリーカード連接ソケット」の中に示されている。並びに本考案の特許申請の登録請求の範囲ではないため、説明を省略する。
【００１４】
図６の実施例の滑り出し型電子カードコネクターは、該固定扣穴４０ａは台体１０ａの底板部１１ａに凹設されていて、匣台２０ａが台体１０ａの中に滑り込む時に、該弾性扣アーム２１２ａは対応して該固定扣穴４０ａの中に掛け止められることができ、該匣台２０ａが外に向かって退出することを妨げ、或いは、該固定扣穴は取り付ける電子製品（例えば、携帯電話、車輌車体、デジタルカメラ等）上に設けることができる。本考案は、それを制限しない。
【００１５】
上記で説明したように、本考案は下記の特徴と伏点がある。
１．該匣台を台体の中から完全に外に向けて引き出すことができるため、使用者は便利に電子カードを置く以外に、周知のように電子カードコネクターが電子カードを取り付ける時に、匣台が完全に外に向かって引き出すことができないために吊り状態になって台体の外面に露出し、容易に外力を受けて衝撃した後に断裂を生じる情況を発生することを避けることができる。このため、使用寿命が増加する。
【００１６】
２．匣台の前端に弾性扣アームが設置されているため、該匣台が台体の中に滑り込む時、該弾性扣アームは、対応的に一つの固定扣孔の中に掛け止められ、匣台が外に向かって滑り戻ることを妨げる。そして、使用者が外に向けて匣台を引き出す時、該弾性扣アームは、固定扣穴と解扣することができ、並びに匣台を台体の中から外に向かって滑り出し、並びに台体と完全に脱離する。
【００１７】
３．前板の底部に指穴があって、本考案は取り付ける時、前板の前端面板は製品の外側の表面と一つの完全な連続平面になっているため、製品の外観を更に美しくすることができる。
本考案の構造、形状を一部変更した後に生じる効果、作用が本説明書と図面を含む範囲である場合は、すべて本考案の範囲に属することは当然である。
【図面の簡単な説明】
【００１８】
【図１】本考案の一実施例による滑り出し型電子カードコネクターの匣台と台体を示す分解斜視図である。
【図２】本考案の一実施例による滑り出し型電子カードコネクターの匣台と台体を示す分解斜視図である。
【図３】本考案の一実施例による滑り出し型電子カードコネクターの匣台が台体の中に入っている状態を示す斜視図である。
【図４】本考案の一実施例による滑り出し型電子カードコネクターの匣台が台体の中に入っている状態を示す斜視図である。
【図５】本考案一実施例による滑り出し型電子カードコネクターを一つの電子装置の中に取り付けた状態を示す模式図である。
【図６】本考案の他の実施例による滑り出し型電子カードコネクターを示す分解斜視図である。
【符号の説明】
【００１９】
１０  台体、１０ａ  台体、１１  板体、１１ａ  底板部、１１ｂ  頂板部、１２  端子、１３  Ｌ型側板、１４  滑り孔、１４ａ  滑り孔、２０  匣台、２０ａ  匣台、２１  受接板、２１ａ  受接板、２２  前板、２２ａ  前板、３０  電子カード、３０ａ  電子カード、３０ｂ  電子カード、３０ｃ  電子カード、４０  固定扣穴、４０ａ  固定扣穴、２１１  電子カード置き穴、２１１ａ  電子カード置き穴、２１１ｂ  電子カード置き穴、２１１ｃ  電子カード置き穴、２１２  弾性扣アーム、２１２ａ  弾性扣アーム、２２１  指穴、２２１ａ  指穴
【図１】
0003109906.tif 000003
【図２】
0003109906.tif 000004
【図３】
0003109906.tif 000005
【図４】
0003109906.tif 000006
【図５】
0003109906.tif 000007
【図６】
0003109906.tif 000008